(57)【要約】  群管理エレベーターにおいて地震発生時等にエレベーターを運転休止とした場合に、乗場の利用者に対して適切なアナウンスをすることができるエレベーターの乗場アナウンス装置を提供する。このため、複数台のエレベーターをグループとして管理を行い、前記複数台のエレベーターを複数の階床に配車する群管理エレベーターにおいて、前記複数台のエレベーターのそれぞれの各階床の乗場に設けられ、前記乗場にいる利用者に対して音声案内を行う音声案内用スピーカと、一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、を備える。
2010095265.tif 000002
【特許請求の範囲】
【請求項１】
複数台のエレベーターをグループとして管理を行い、前記複数台のエレベーターを複数の階床に配車する群管理エレベーターにおいて、
前記複数台のエレベーターのそれぞれの各階床の乗場に設けられ、前記乗場にいる利用者に対して音声案内を行う音声案内用スピーカと、
一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、を備えたことを特徴とするエレベーターの乗場アナウンス装置。
【請求項２】
前記一のグループに属する全てのエレベーターが運転休止となったことを検出する運転休止検出手段を備え、
前記群管理装置は、前記運転休止検出手段により前記一のグループに属する全てのエレベーターが運転休止となったことが検出された場合に、前記一のグループに属するエレベーターの前記乗場に設けられた前記音声案内スピーカに、前記一のグループに属する全てのエレベーターが運転休止となった旨の音声案内を行わせることを特徴とする請求項１に記載のエレベーターの乗場アナウンス装置。
【請求項３】
前記一のグループに属する複数台のエレベーターのうち少なくとも１つのエレベーターの各階床の前記乗場に設けられ、前記一のグループに対して乗場呼びを登録するための乗場呼びボタンと、
前記乗場呼びボタンが操作されたこと及び当該操作のなされた前記乗場呼びボタンが設けられた階床を検出する乗場呼びボタン操作階検出手段と、
前記乗場呼びボタン操作階検出手段により検出された当該操作のなされた前記乗場呼びボタンが設けられた階床を、音声案内対象階床として決定する音声案内階決定手段と、を備え、
前記群管理装置は、前記一のグループに属する全てのエレベーターが運転休止となった場合に、前記乗場ボタン操作階検出手段により前記乗場呼びボタンが操作されたことが検出されると、前記一のグループに属するエレベーターの前記音声案内対象階床の前記乗場に設けられた前記音声案内スピーカに、前記一のグループに属する全てのエレベーターが運転休止となった旨の音声案内を行わせることを特徴とする請求項１または請求項２のいずれかに記載のエレベーターの乗場アナウンス装置。
【請求項４】
前記一のグループに属する複数台のエレベーターの中から、音声案内を行う１つのエレベーターの号機を順次選択して音声案内対象号機として決定する音声案内号機決定手段を備え、
前記群管理装置は、前記一のグループに属する全てのエレベーターが運転休止となった場合に、前記音声案内対象号機の前記乗場に設けられた前記音声案内スピーカに、前記一のグループに属する全てのエレベーターが運転休止となった旨の音声案内を行わせることを特徴とする請求項１から請求項３のいずれかに記載のエレベーターの乗場アナウンス装置。
【請求項５】
予め定めた休止案内強制選択条件が成立したことを検出する休止案内強制選択手段を備え、
前記群管理装置は、前記一のグループに属する全てのエレベーターが運転休止となっていない場合であっても、前記休止案内強制選択手段により前記休止案内強制選択条件が成立したことが検出されると、前記一のグループに属するエレベーターの前記乗場に設けられた前記音声案内スピーカに、前記一のグループに属する全てのエレベーターが運転休止となった旨の音声案内を行わせることを特徴とする請求項１から請求項４のいずれかに記載のエレベーターの乗場アナウンス装置。
【発明の詳細な説明】
【技術分野】
【０００１】
この発明は、エレベーターの乗場アナウンス装置に関するものである。
【背景技術】
【０００２】
従来におけるエレベーターの乗場アナウンス装置においては、複数階床にサービスする複数のエレベーターを有し、発生した乗場呼びに応答するエレベーターの割当てを行う群管理エレベーターにおいて、案内表示装置により割当てられたエレベーターを乗場に案内表示するとともに、各階の乗場に音声案内装置を設け、割当てられたエレベーターの識別方法（すなわち、前記案内表示装置による割当てエレベーターの表示方法であり、例えば、前記案内表示装置を案内表示灯とし、この案内表示灯の点灯色を上昇用割当てと下降用割当てとで異なる色とした場合に、このエレベーター運転方向と点灯色との対応関係についての案内）を案内放送（アナウンス）するものが知られている（例えば、特許文献１参照）。【０００３】
また、従来において、エレベーターの運転形態（例えば通常運転や特定階の優先呼びであるＶＩＰ運転等）の切替わりや、強制通過等の案内をアナウンスによって乗場待ち客にも知らせるエレベーターの乗場アナウンス装置も知られている（例えば、特許文献２参照）。これは、走行制御部がある運転形態に切替えて（例えば通常運転からＶＩＰ運転へと切替えて）エレベーターを運転する場合に、アナウンスモード判定指令部がその切替えられた運転形態に対応するアナウンスモードを選択して出力し、これを受けた音声合成部が対応するアナウンスメッセージを合成し、同時にスピーカ切替部が前記アナウンスモード判定指令部からのアナウンスモードに対応して出力するスピーカをその設置場所に応じて選択して切替えて前記音声合成部が合成したアナウンスメッセージを出力するものである。こうして、エレベーターの運転形態の切替えに応じて、案内を必要する特定階の乗場等を選択してそこにいる利用者に対してアナウンスが行われる。【０００４】
【特許文献１】日本特開昭６２−２６９８６９号公報
【特許文献２】日本特開平０７−３１５７０６号公報
【発明の開示】
【発明が解決しようとする課題】
【０００５】
一般にエレベーターにおいては、ある一定規模より大きい地震が発生すると、安全確認等のため運転が休止される。また、その後の確認運転等により、エレベーターの運転に支障がないことが確認されると、そのエレベーターは自動的に運転が復帰されるものが多い。ここで、複数台のエレベーターをグループとして管理して利用者の利用状況に応じて効率的に運動制御する群管理エレベーターにおいては、利用者に対してサービス提供が不可能になるのは当該グループに属する全てのエレベーターが休止した場合である一方、当該グループに属するエレベーターのうち少なくとも１台が休止せずに運転可能又は運転復帰した状態であれば利用者に対してサービス提供が可能であるという特殊な事情がある。【０００６】
しかしながら、前記した特許文献に示された従来におけるエレベーターの乗場アナウンス装置のいずれにおいても、群管理エレベーターにおいて地震等が発生して運転休止状態となった場合については考慮されていないため、前述した群管理エレベーター特有の事情や乗場呼び待ちをしている利用者の位置等を考慮した適切な運転休止アナウンスをすることができないという課題がある。【０００７】
この発明は、このような課題を解決するためになされたもので、群管理エレベーターにおいて、地震発生時等にエレベーターを運転休止とした場合に、乗場の利用者に対して適切なアナウンスをすることができるエレベーターの乗場アナウンス装置を得るものである。
【課題を解決するための手段】
【０００８】
この発明に係るエレベーターの乗場アナウンス装置に関しては、複数台のエレベーターをグループとして管理を行い、前記複数台のエレベーターを複数の階床に配車する群管理エレベーターにおいて、前記複数台のエレベーターのそれぞれの各階床の乗場に設けられ、前記乗場にいる利用者に対して音声案内を行う音声案内用スピーカと、一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、を備えた構成とする。
【発明の効果】
【０００９】
この発明はエレベーターの乗場アナウンス装置に関し、複数台のエレベーターをグループとして管理を行い、前記複数台のエレベーターを複数の階床に配車する群管理エレベーターにおいて、前記複数台のエレベーターのそれぞれの各階床の乗場に設けられ、前記乗場にいる利用者に対して音声案内を行う音声案内用スピーカと、一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、を備えた構成としたことで、群管理エレベーターにおいて、地震発生時等にエレベーターを運転休止とした場合に、乗場の利用者に対して適切なアナウンスをすることができるという効果を奏する。
【図面の簡単な説明】
【００１０】
【図１】この発明の実施の形態１及び実施の形態２に係るエレベーターの乗場アナウンス装置の全体構成を示す説明図である。
【図２】この発明の実施の形態１に係るエレベーターの乗場アナウンス装置の動作を示すフロー図である。
【図３】この発明の実施の形態２に係るエレベーターの乗場アナウンス装置の動作を示すフロー図である。
【符号の説明】
【００１１】
１ａ  １号機乗りかご
１ｂ  ２号機乗りかご
２ａ  １号機釣合い重り
２ｂ  ２号機釣合い重り
３ａ  １号機主索
３ｂ  ２号機主索
４ａ  １号機巻上機
４ｂ  ２号機巻上機
５ａ  １号機乗場
５ｂ  ２号機乗場
６ａ  １号機音声案内用スピーカ
６ｂ  ２号機音声案内用スピーカ
７ａ  １号機の号機制御盤
７ｂ  ２号機の号機制御盤
８    乗場呼びボタン
９    群管理装置
１０    乗場呼びボタン操作階検出手段
１１    音声案内階決定手段
１２    音声案内号機決定手段
１３    休止案内強制選択手段
【発明を実施するための最良の形態】
【００１２】
この発明を添付の図面に従い説明する。各図を通じて同符号は同一部分又は相当部分を示しており、その重複説明は適宜に簡略化又は省略する。【００１３】
実施の形態１．
図１及び図２は、この発明の実施の形態１に係るもので、図１はエレベーターの乗場アナウンス装置の全体構成を示す説明図、図２はエレベーターの乗場アナウンス装置の動作を示すフロー図である。なお、ここでは、群管理エレベーターにおけるある１つのグループ（以下「当該グループ」という）に属する複数台のエレベーターの台数を、説明の便宜上２台であるとし、各エレベーターの号機をそれぞれ１号機、２号機と呼ぶことにする。【００１４】
図において１ａは１号機エレベーターの昇降路（図示せず）内に昇降自在に配置された１号機乗りかごであり、この１号機昇降路内には１号機釣合い重り２ａも昇降自在に配置されている。そして、この１号機乗りかご１ａの上端部には１号機主索３ａの一端部が接続されており、この１号機主索３ａは、１号機昇降路の上方に設けられた図示しない機械室内に設置された、当該エレベーターの運転を駆動する１号機巻上機４ａの駆動シーブに巻き掛けられた上で、その他端部が前記１号機釣合い重り２ａの上端部に接続されている。
こうして、前記１号機乗りかご１ａ及び前記１号機釣合い重り２ａは前記１号機主索３ａにより接続されて、つるべ状に吊持されている。【００１５】
また、前記１号機乗りかご１ａが停止する各階床に設けられた１号機乗場５ａのそれぞれには、この乗場にいる利用者に対して必要なアナウンスを報知するための１号機音声案内用スピーカ６ａが設置されている。【００１６】
この１号機エレベーターの運転全般は、１号機の号機制御盤７ａにより後述する群管理装置９からの情報に基づいて制御されている。
前記１号機巻上機４ａはこの１号機の号機制御盤７ａに接続されており、前記１号機巻上機４ａによる前記１号機乗りかご１ａの走行の駆動は、前記１号機の号機制御盤７ａの制御の下で行われる。また、各階の前記１号機乗場５ａに設けられた前記１号機音声案内用スピーカ６ａも前記１号機の号機制御盤７ａに接続されており、群管理装置９から情報に基づいて発せられる前記１号機の号機制御盤７ａからの指令に従って、前記１号機音声案内用スピーカ６ａによるアナウンスが行われる。【００１７】
当該グループに属する２号機エレベーターについても、その構成は前述した１号機エレベーターの構成と同様である。
すなわち、２号機乗りかご１ｂ及び２号機釣合い重り２ｂは２号機主索３ｂにより接続されて、２号機昇降路内につるべ状かつ昇降自在に吊持されており、この２号機主索３ｂは前記２号機昇降路上方に設けられた図示しない機械室内に設置された２号機巻上機４ｂの駆動シーブに巻き掛けられている。【００１８】
そして、各階の２号機乗場５ｂには２号機音声案内用スピーカ６ｂが設置されており、この２号機音声案内用スピーカ６ｂは、群管理装置９からの情報に基づいて２号機エレベーターの運転全般の制御を行う２号機の号機制御盤７ｂからの指令に従ってアナウンスを行う。また、前記２号機巻上機４ｂは、前記２号機の号機制御盤７ｂの制御の下で、前記２号機乗りかご１ｂの走行を駆動する。【００１９】
当該グループに属するいずれかのエレベーター号機の各階の乗場には、この当該グループに対する乗場呼び登録を行うための乗場呼びボタン８が設置されている。つまり、これらの乗場呼びボタン８は当該グループに属するエレベーター号機において共用されており、これらの乗場呼びボタン８が設置される号機は、当該グループに属する号機であればいずれでもよく、ここでは１号機の各階乗場に設置したとする。
すなわち、各階の前記１号機乗場５ａには、利用者が押下することにより当該グループに対する乗場呼び登録を行うための乗場呼びボタン８が設置されている。そして、これらの乗場呼びボタン８は前記１号機の号機制御盤７ａに接続されており、利用者によりこれらの乗場呼びボタン８が操作されると、その操作に関する情報が前記１号機の号機制御盤７ａへと送信される。
なお、前記乗場呼びボタン８は、上端階及び下端階を除き、上方向乗場呼びを登録するための上方向ボタン及び下方向乗場呼びを登録するための下方向ボタンからなり、上端階または下端階においてはこれらのいずれか一方のみからなる。【００２０】
当該グループにおける呼び登録に応答するエレベーターの割当て管理等の群管理は、群管理装置９により行われる。この群管理装置９は、当該グループに属する前記１号機の号機制御盤７ａ及び前記２号機の号機制御盤７ｂと接続されており、これらの前記１号機の号機制御盤７ａ及び前記２号機の号機制御盤７ｂを通じてエレベーターの運転状況や前記乗場呼びボタン８といった操作盤の操作状況等に関する情報を取得し、これらの情報を元にして割当て号機の決定やこの決定に基づく各号機制御盤に対する運転指令の出力等を行う。
そして、前記１号機の号機制御盤７ａ及び前記２号機の号機制御盤７ｂの各号機制御盤は、前記群管理装置９からの運転指令に基づいて、それぞれの号機のエレベーターの運転制御を行う。【００２１】
また、前記群管理装置９は、当該グループにおいて設けられた図示しない地震感知器により所定規模以上の地震発生が感知されて当該グループに属する全てのエレベーターが運転休止となった場合に、乗場の利用者に対してその旨をアナウンスすべく制御を行う。【００２２】
このアナウンスを行うために、前記群管理装置９内部には、乗場呼びボタン操作階検出手段１０が設けられている。この乗場呼びボタン操作階検出手段１０は、１号機の各階乗場に設けられた前記乗場呼びボタン８の操作状況について前記１号機の号機制御盤７ａを介して監視しており、前記乗場呼びボタン８が利用者により操作されたこと及び当該操作のなされた前記乗場呼びボタン８が設置されている階床がどの階床であるかの検出を行う。
この検出結果は、同じく前記群管理装置９内部に設けられた音声案内階決定手段１１へと出力される。【００２３】
前記音声案内階決定手段１１は、前記乗場呼びボタン操作階検出手段１０から出力された情報に基づいて、利用者により操作された前記乗場呼びボタン８が設置されている階床を、エレベーターが休止した旨の音声案内を行う対象となる階床として設定するものである。【００２４】
そして、前記群管理装置９内部に設けられた音声案内号機決定手段１２は、エレベーターが休止した旨の音声案内を行う対象となる号機を、所定の規則に基づいて決定するものである。
ここで、この所定の規則とは、当該グループに属するエレベーターがＮを自然数としてＮ台、すなわち、１号機、２号機から順にＮ号機まである場合に、音声案内対象号機をこの号機の順に１台ずつ順番に替えていくというものである。【００２５】
ここでは具体的に例えば、前回、今回操作された階床と同じ階床の前記乗場呼びボタン８が操作された時に、音声案内を行った号機が１号機である場合には今回の音声案内対象号機を次の２号機とし、前回、今回操作された階床と同じ階床の前記乗場呼びボタン８が操作された時に、音声案内を行った号機が２号機である場合には今回の音声案内対象号機を次の３号機とする。そして、このようにして（Ｎ−１）号機の次はＮ号機となり、Ｎ号機まできた場合には次の音声案内対象号機は最初の１号機へと戻るように構成する。
なお、ここでは当該グループに属するエレベーターの台数は２台（すなわちＮ＝２）としているため、１号機の次は２号機であり、２号機の次は１号機と交互に音声案内の対象号機となる。【００２６】
前記音声案内号機決定手段１２は、前回にエレベーターが休止した旨の音声案内を実施した号機を記憶しておき、この記憶した号機に基づいて次の号機を今回音声案内の実施をする号機として決定し、音声案内実施後にこの実施した号機を次回の音声案内対象号機決定のために記憶しておく。
なお、図１中の休止案内強制選択手段１３は、後述する実施の形態２において必要なものであり、ここで説明している実施の形態１においては設ける必要のないものである。【００２７】
この実施の形態にあっては、乗場アナウンス装置は図２に示す一連のフローに従って動作する。
まず、前記地震感知器により所定規模以上の地震発生が感知されると、当該グループに属する全てのエレベーターに対して地震感知器信号が入力され（ステップＳ１）、この地震感知信号の入力を受けた当該グループに属する全てのエレベーターは、地震時管制運転へと移行して運転休止となり、当該グループに属する全てのエレベーターが運転休止となるとステップＳ３へと移行する（ステップＳ２）。
なお、ここで、このステップＳ２は、当該グループに属する全てのエレベーターが運転休止となったことを検出する運転休止検出手段を構成している。【００２８】
そして、ステップＳ３において、前記群管理装置９の前記乗場呼びボタン操作階検出手段１０は、各階の前記乗場呼びボタン８のいずれかが利用者により操作されたか否かについて確認を行う。この確認において、利用者によりいずれかの前記乗場呼びボタン８が操作されたことが確認された場合には、前記乗場呼びボタン操作階検出手段１０は、利用者により操作された前記乗場呼びボタン８がある階床に関する情報を前記音声案内階決定手段１１へと出力して次のステップＳ４へと移行する。
一方、利用者によりいずれかの前記乗場呼びボタン８が操作されたことが確認されない場合には、利用者による前記乗場呼びボタン８の操作が検出されるまで、このステップＳ３の確認が繰り返される。【００２９】
ステップＳ４においては、前記乗場呼びボタン操作階検出手段１０から出力された、利用者により操作された前記乗場呼びボタン８がある階床に関する情報に基づいて、前記群管理装置９の前記音声案内階決定手段１１が、この利用者により操作された前記乗場呼びボタン８がある階床を、音声案内を行う階床として決定する。
そして、続くステップＳ５において、前記音声案内号機決定手段１２は自身に記憶されている情報に基づいて、前回に休止の旨の音声案内が行われたエレベーター号機が１号機であるか否かについて確認を行う。【００３０】
この確認において、前回音声案内が行われたエレベーター号機が１号機であることが確認された場合にはステップＳ６へと移り、前記音声案内号機決定手段１２は、２号機を音声案内対象号機に決定して、前記２号機の号機制御盤７ｂへとエレベーターが休止している旨の音声案内を行うように休止案内指令を出力する。
そして、この休止案内指令を受けた前記２号機の号機制御盤７ｂは、ステップＳ４において前記音声案内階決定手段１１により決定した音声案内を行う対象の階床に設置された前記２号機音声案内用スピーカ６ｂに対して、当該グループに属する全てのエレベーターが地震発生により運転休止である旨をアナウンスするように指令を出す。【００３１】
一方、ステップＳ５の確認において、前回音声案内が行われたエレベーター号機が１号機でないことが確認された場合、すなわち、前回音声案内が行われたエレベーター号機が２号機であることが確認された場合にはステップＳ７へと移り、前記音声案内号機決定手段１２は、１号機を音声案内対象号機に決定して、前記１号機の号機制御盤７ａへとエレベーターが休止している旨の音声案内を行うように休止案内指令を出力する。
そして、この休止案内指令を受けた前記１号機の号機制御盤７ａは、ステップＳ４において前記音声案内階決定手段１１により決定した音声案内を行う対象の階床に設置された前記１号機音声案内用スピーカ６ａに対して、当該グループに属する全てのエレベーターが地震発生により運転休止である旨をアナウンスするように指令を出す。【００３２】
以上のように構成されたエレベーターの乗場アナウンス装置においては、運転休止検出手段により一のグループに属する全てのエレベーターが運転休止となったことを検出し、この検出がなされた場合に、この一のグループに属するエレベーターの乗場に設けられた音声案内スピーカに、この一のグループに属する全てのエレベーターが運転休止となった旨の音声案内を行わせることで、群管理エレベーターにおいて地震発生時等にエレベーターを運転休止とした場合に、乗場の利用者に対して適切なアナウンスをすることができる。【００３３】
また、乗場呼びボタンが操作されたこと及び当該操作のなされた乗場呼びボタンが設けられた階床を乗場呼びボタン操作階検出手段により検出し、この乗場呼びボタン操作階検出手段により検出された当該操作のなされた乗場呼びボタンが設けられた階床を、音声案内階決定手段が音声案内対象階床として決定し、一のグループに属する全てのエレベーターが運転休止となった場合に乗場ボタン操作階検出手段により乗場呼びボタンが操作されたことが検出されると、この一のグループに属するエレベーターの音声案内対象階床の乗場に設けられた音声案内スピーカに、この一のグループに属する全てのエレベーターが運転休止となった旨の音声案内を行わせることで、乗場の利用者が運転休止されたグループのエレベーターを利用しようとしているという適切なタイミングにおいて、当該利用者のいる階床の乗場のみに向けて運転休止アナウンスをすることができる。【００３４】
そして、群管理エレベーターにおいては、一のグループに対する乗場呼びボタンが共用されていることが多いため、乗場呼びボタンを操作した利用者がどの号機を利用しようとしているのか不明であるところ、音声案内号機決定手段によってこの一のグループに属する複数台のエレベーターの中から音声案内を行う１つのエレベーターの号機を順次選択して音声案内対象号機として決定し、この一のグループに属する全てのエレベーターが運転休止となった場合に、音声案内対象号機の乗場に設けられた音声案内スピーカに、この一のグループに属する全てのエレベーターが運転休止となった旨の音声案内を行わせることにより、乗場の利用者に対して確実に運転休止アナウンスをすることができる。【００３５】
実施の形態２．
図１及び図３は、この発明の実施の形態２に係るもので、図１はエレベーターの乗場アナウンス装置の全体構成を示す説明図、図３はエレベーターの乗場アナウンス装置の動作を示すフロー図である。
ここで説明する実施の形態２は、前述した実施の形態１の構成に加えて、地震発生時の地震時管制運転のように当該グループに属する全てのエレベーターが運転休止する場合のみならず、例えば、保守作業において当該乗場アナウンス装置の動作確認を行う時等のために、予め定めた休止案内強制選択条件、例えば保守作業員等により所定の操作が行われる、が成立した場合に強制的に当該グループに属する全てのエレベーターが運転休止した旨のアナウンスを行うようにしたものである。【００３６】
すなわち、前記群管理装置９の内部には、所定の休止案内強制選択条件が成立したか否かについて判断を行い、前記休止案内強制選択条件が成立した場合には、当該グループに属する全てのエレベーターが運転休止した旨のアナウンスを強制的に行わせる休止案内強制選択手段１３が設けられており、他の構成は実施の形態１と同様である。【００３７】
ここで、前記休止案内強制選択条件について、例えば、保守作業時について説明する。
定期点検等において当該乗場アナウンス装置の保守作業を実施する場合、保守作業後に当該乗場アナウンス装置が正常に動作するかの確認が必要となることがある。このような場合には、実施の形態１で説明したような地震時管制運転により当該グループに属する全てのエレベーターが運転休止しているという状況ではないが、当該乗場アナウンス装置により適切に乗場アナウンスが行われるか確認するため、実際に動作させてみることが必要である。【００３８】
そこで、当該グループに属するエレベーターが運転休止状態であるか否かに係わらず、強制的に当該グループに属する全てのエレベーターが運転休止した旨のアナウンスを行わせるための条件が前記休止案内強制選択条件であり、ここでは、例えば、保守作業員等により当該グループに属するエレベーターに対して所定の操作が行われた場合とする。そして、さらにここで、この所定の操作として例えば１階に設置された前記乗場呼びボタン８の前記上方向ボタン及び前記下方向ボタンの両方を同時に所定時間長押しするという操作とする（なお、前記建物には当該エレベーターが停止する地下階があるとしている）。【００３９】
前記休止案内強制選択手段１３は、前記所定の操作がなされた場合に、前記休止案内強制選択条件が成立したと判断し、当該グループに属する全てのエレベーターが運転休止した旨のアナウンスを強制的に行わせる。
なお、前記休止案内強制選択条件は、より複雑な条件、例えば、再び保守作業時を採り上げると、保守作業時においては対象エレベーターは通常運転モードとは異なる保守作業時専用の保守作業モードとされることが一般に多いという事情を考慮して、当該エレベーターが保守作業モードかつ前記所定の操作がなされた場合、とすることも可能である。【００４０】
この実施の形態にあっては、乗場アナウンス装置は図３に示す一連のフローに従って動作する。
まず、ステップＳ１１において、前記群管理装置９の前記休止案内強制選択手段１３は、前記休止案内強制選択条件が成立したか否かについて確認を行う。すなわち、具体的には、保守作業員等により当該グループに属するエレベーターに対して所定の操作、つまり、１階に設置された前記乗場呼びボタン８の上方向ボタン及び下方向ボタンの両方を同時に所定時間長押しするという操作がなされたか否かについて確認を行う。【００４１】
このステップＳ１１の確認において、前記休止案内強制選択条件が成立したことが確認された場合には、動作はステップＳ１２へと移行する。
一方、前記休止案内強制選択条件が成立したことが確認されない場合には、前記休止案内強制選択条件が成立したことが確認されるまで、ステップＳ１１の確認が繰り返される。【００４２】
ステップＳ１２においては、前記群管理装置９の前記乗場呼びボタン操作階検出手段１０は、各階の前記乗場呼びボタン８のいずれかが利用者により操作されたか否かについて確認を行う。この確認において、利用者によりいずれかの前記乗場呼びボタン８が操作されたことが確認された場合には、前記乗場呼びボタン操作階検出手段１０は、利用者により操作された前記乗場呼びボタン８がある階床に関する情報を前記音声案内階決定手段１１へと出力して次のステップＳ１３へと移行する。
一方、利用者によりいずれかの前記乗場呼びボタン８が操作されたことが確認されない場合には、利用者による前記乗場呼びボタン８の操作が検出されるまで、このステップＳ１２の確認が繰り返される。【００４３】
ステップＳ１３においては、前記乗場呼びボタン操作階検出手段１０から出力された、利用者により操作された前記乗場呼びボタン８がある階床に関する情報に基づいて、前記群管理装置９の前記音声案内階決定手段１１が、この利用者により操作された前記乗場呼びボタン８がある階床を、音声案内を行う階床として決定する。
そして、続くステップＳ１４において、前記音声案内号機決定手段１２は自身に記憶されている情報に基づいて、前回に休止の旨の音声案内が行われたエレベーター号機が１号機であるか否かについて確認を行う。【００４４】
この確認において、前回音声案内が行われたエレベーター号機が１号機であることが確認された場合にはステップＳ１５へと移り、前記音声案内号機決定手段１２は、２号機を音声案内対象号機に決定して、前記２号機の号機制御盤７ｂへとエレベーターが休止している旨の音声案内を行うように休止案内指令を出力する。
そして、この休止案内指令を受けた前記２号機の号機制御盤７ｂは、ステップＳ１３において前記音声案内階決定手段１１により決定した音声案内を行う対象の階床に設置された前記２号機音声案内用スピーカ６ｂに対して、当該グループに属する全てのエレベーターが運転休止である旨をアナウンスするように指令を出す。【００４５】
一方、ステップＳ１４の確認において、前回音声案内が行われたエレベーター号機が１号機でないことが確認された場合、すなわち、前回音声案内が行われたエレベーター号機が２号機であることが確認された場合にはステップＳ１６へと移り、前記音声案内号機決定手段１２は、１号機を音声案内対象号機に決定して、前記１号機の号機制御盤７ａへとエレベーターが休止している旨の音声案内を行うように休止案内指令を出力する。
そして、この休止案内指令を受けた前記１号機の号機制御盤７ａは、ステップＳ１３において前記音声案内階決定手段１１により決定した音声案内を行う対象の階床に設置された前記１号機音声案内用スピーカ６ａに対して、当該グループに属する全てのエレベーターが運転休止である旨をアナウンスするように指令を出す。【００４６】
なお、以上は、保守作業時における動作確認等のため音声案内を強制選択する場合の例について述べたが、他の例として、火災発生時において、火災発生が火災報知機等により検出された後、当該エレベーターの管理者等が所定の操作を行った場合に、強制的に当該グループに属する全てのエレベーターが運転休止した旨のアナウンスを行うようにすることも考えられる。【００４７】
すなわち、当該グループに属するエレベーターが据付けられた建物の各階には、火災発生を検出する図示しない火災報知機や煙感知器等の火災検出手段が設置されており、これらの火災検知器手段により火災発生が検出された場合には、当該グループに属するエレベーターはいわゆる火災時管制運転に切替わる。また、前記火災検出手段による火災発生検出情報は、当該建物内の図示しない防災センターにも報知されるように構成されている。【００４８】
そして、この火災時管制運転においては、当該グループに属するエレベーターは、火災発生が検出されておらず安全に避難、救出が可能である救出階とその他の階との間の往復運転が行われる。
当該グループに属する全てのエレベーター号機において、前記救出階における救出が完了すると、管理者や責任者等により当該グループに属するエレベーターに対して所定の操作が行われる。ここでは、この所定の操作として例えば１階に設置された前記乗場呼びボタン８の上方向ボタン及び下方向ボタンの両方を同時に所定時間長押しするという操作とする。【００４９】
この場合においては、前記休止案内強制選択手段１３は、火災発生検出後に前記所定の操作がなされた場合に、前記休止案内強制選択条件が成立したと判断し、当該グループに属する全てのエレベーターが運転休止した旨のアナウンスを強制的に行わせる。
従って、この場合、図３のフロー図におけるステップＳ１１は、具体的には、前記火災検出手段により火災発生が検出され、当該グループに属する全てのエレベーター号機について前記救出階における救出作業が完了し、管理者や責任者等により当該グループに属するエレベーターに対して所定の操作、つまり、１階に設置された前記乗場呼びボタン８の上方向ボタン及び下方向ボタンの両方を同時に所定時間長押しするという操作がなされたか否かについて確認を行うこととなる。他の動作ステップについては、前述の保守作業時の場合と同様である。【００５０】
以上のように構成されたエレベーターの乗場アナウンス装置においては、実施の形態１と同様の効果を奏することができるのに加えて、一のグループに属する全てのエレベーターが運転休止となっていない場合であっても、休止案内強制選択手段により予め定めた休止案内強制選択条件が成立したことが検出されると、この一のグループに属するエレベーターの乗場に設けられた音声案内スピーカに、この一のグループに属する全てのエレベーターが運転休止となった旨の音声案内を行わせることで、例えば、保守作業時等に当該乗場アナウンス装置が正常に動作するかの確認が必要となった場合において、当該一のグループに属するエレベーターが運転休止状態であるか否かに係わらず当該乗場アナウンス装置を動作させることができるため便宜である。【００５１】
また、他の例として、火災発生時において救出が完了した後等、利用者にエレベーターを使用させたくない状況下において、乗場の利用者に対して適切な音声案内を行うことが可能である。
【産業上の利用可能性】
【００５２】
この発明は、エレベーターが運転休止した場合に乗場の利用者に対してその旨のアナウンスを行うエレベーターの乗場アナウンス装置に利用できる。
【図１】
2010095265.tif 000003
【図２】
2010095265.tif 000004
【図３】
2010095265.tif 000005
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
複数台のエレベーターをグループとして管理を行い、前記複数台のエレベーターを複数の階床に配車する群管理エレベーターにおいて、
前記複数台のエレベーターのそれぞれの各階床の乗場に設けられ、前記乗場にいる利用者に対して音声案内を行う音声案内用スピーカと、
一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、
前記一のグループに属する複数台のエレベーターの中から、音声案内を行う１つのエレベーターの号機を順次選択して音声案内対象号機として決定する音声案内号機決定手段と、を備え、
前記群管理装置は、前記一のグループに属する全てのエレベーターが運転休止となった場合に、前記音声案内対象号機の前記乗場に設けられた前記音声案内スピーカに、前記一のグループに属する全てのエレベーターが運転休止となった旨の音声案内を行わせることを特徴とするエレベーターの乗場アナウンス装置。
【請求項２】
複数台のエレベーターをグループとして管理を行い、前記複数台のエレベーターを複数の階床に配車する群管理エレベーターにおいて、
前記複数台のエレベーターのそれぞれの各階床の乗場に設けられ、前記乗場にいる利用者に対して音声案内を行う音声案内用スピーカと、
一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、
予め定めた休止案内強制選択条件が成立したことを検出する休止案内強制選択手段と、を備え、
前記群管理装置は、前記一のグループに属する全てのエレベーターが運転休止となっているか否かに関わらず、前記休止案内強制選択手段により前記休止案内強制選択条件が成立したことが検出された場合に、前記一のグループに属するエレベーターの前記乗場に設けられた前記音声案内スピーカに、前記一のグループに属する全てのエレベーターが運転休止となった旨の音声案内を行わせることを特徴とするエレベーターの乗場アナウンス装置。
【請求項３】
前記休止案内強制選択条件は、前記一のグループに属するエレベーターが保守作業モードであり、かつ、前記一のグループに属するエレベーターに対して所定の操作が行われることであることを特徴とする請求項２に記載のエレベーターの乗場アナウンス装置。
【請求項４】
前記休止案内強制選択条件は、前記一のグループに属するエレベーターが火災時管制運転であり、かつ、前記一のグループに属するエレベーターに対して所定の操作が行われることであることを特徴とする請求項２に記載のエレベーターの乗場アナウンス装置。
【請求項５】
前記一のグループに属する複数台のエレベーターのうち少なくとも１つのエレベーターの各階床の前記乗場に設けられ、前記一のグループに対して乗場呼びを登録するための乗場呼びボタンと、
前記乗場呼びボタンが操作されたこと及び当該操作のなされた前記乗場呼びボタンが設けられた階床を検出する乗場呼びボタン操作階検出手段と、
前記乗場呼びボタン操作階検出手段により検出された当該操作のなされた前記乗場呼びボタンが設けられた階床を、音声案内対象階床として決定する音声案内階決定手段と、を備え、
前記群管理装置は、前記一のグループに属する全てのエレベーターが運転休止となった場合に、前記乗場ボタン操作階検出手段により前記乗場呼びボタンが操作されたことが検出されると、前記一のグループに属するエレベーターの前記音声案内対象階床の前記乗場に設けられた前記音声案内スピーカに、前記一のグループに属する全てのエレベーターが運転休止となった旨の音声案内を行わせることを特徴とする請求項１から請求項４のいずれかに記載のエレベーターの乗場アナウンス装置。
【手続補正２】
【補正対象書類名】明細書
【補正対象項目名】０００８
【補正方法】変更
【補正の内容】
【０００８】
この発明に係るエレベーターの乗場アナウンス装置に関しては、複数台のエレベーターをグループとして管理を行い、前記複数台のエレベーターを複数の階床に配車する群管理エレベーターにおいて、前記複数台のエレベーターのそれぞれの各階床の乗場に設けられ、前記乗場にいる利用者に対して音声案内を行う音声案内用スピーカと、一のグループに属する全てのエレベーターが運転休止となった場合に、前記一のグループに属するエレベーターの前記乗場に設けられた前記音声案内スピーカに、前記一のグループに属する全てのエレベーターが運転休止となった旨の音声案内を行わせる群管理装置と、前記一のグループに属する複数台のエレベーターの中から、音声案内を行う１つのエレベーターの号機を順次選択して音声案内対象号機として決定する音声案内号機決定手段と、を備え、前記群管理装置は、前記一のグループに属する全てのエレベーターが運転休止となった場合に、前記音声案内対象号機の前記乗場に設けられた前記音声案内スピーカに、前記一のグループに属する全てのエレベーターが運転休止となった旨の音声案内を行わせる構成とする。
【国際調査報告】
2010095265.tif 000006
2010095265.tif 000007
2010095265.tif 000008
2010095265.tif 000009